(57)【要約】      （修正有）【課題】ベビーカーやロッキングチェアに迅速に着脱を行うことができ、組立が簡単で、外観が美しい迅速着脱式テーブル構造を提供する。【解決手段】迅速着脱式テーブル構造は、テーブル本体および固定ユニット２３を含む。テーブル本体は、両側部に支持ロッドがそれぞれ枢着されるテーブル体を含む。固定ユニット２３は、第１の固定台２３１と、第１の固定台２３１に枢動可能に接続される第２の固定台２３２と、を含む。第１の固定台２３１には、開閉装置２３１３が枢動可能に接続される。開閉装置２３１３に設けられた第１の係合部２３１３２と第２の固定台２３２に設けられた第２の係合部２３２２とを係合することにより、固定ユニット２３をロッキングチェアの支柱上に固定することができ、これにより、テーブル本体をロッキングチェアの支柱上に簡単に固定することができる。【選択図】図２
0003158905.tif 000002
【実用新案登録請求の範囲】
【請求項１】
テーブル本体および固定ユニットを含み、
前記テーブル本体は、両側部に支持ロッドがそれぞれ枢着されるテーブル体を含み、
前記固定ユニットは、第１の固定台および第２の固定台を含み、前記第１の固定台の一方の端部は、前記支持ロッドに接続され、他方の端部には、第１の挟持部が設けられ、前記第１の挟持部の一方の側部には、第１の枢軸が設けられて開閉装置が枢着され、前記開閉装置の第１の枢軸と反対側の一方の側部には、押圧部が設けられ、前記押圧部と前記第１の固定台との間には、弾性部材が配置され、前記開閉装置の押圧部と反対側の他方の端部には、第１の係合部が設けられ、前記第１の挟持部の前記開閉装置と反対側の他方の側部には、第２の枢軸が設けられ、前記第２の固定台には、第２の挟持部が設けられ、前記第２の挟持部の一方の側部には、枢着部が設けられ、前記枢着部と前記第１の固定台の第２の枢軸とは、枢動可能に接続され、前記第２の挟持部の他方の側部には、第２の係合部が設けられ、前記第２の係合部は、前記開閉装置の第１の係合部と係合されることを特徴とする迅速着脱式テーブル構造。
【請求項２】
前記第２の固定台の前記第２の挟持部と反対側の他方の側部には、少なくとも１つの取手部が設けられることを特徴とする請求項１記載の迅速着脱式テーブル構造。
【考案の詳細な説明】
【技術分野】
【０００１】
本考案は、テーブル構造に関し、特に、迅速に着脱を行うことができる構造を有する迅速着脱式テーブル構造に関する。
【背景技術】
【０００２】
乳幼児は、非常に活発であり、常に、あらゆる所を動き回ったり、家の中の物品をむやみやたらに触ったりする。また、子どもは、食事の時間におとなしく席でじっとしない。このため、しばしば保護者を困らせる。そこで、多くの保護者は、テーブルチェアを購入し、子どもが自由に出られない安全な空間で食事を行わせ、子どもに決まった時間に食事をとる習慣を養わせる。或いは、保護者が用事（例えば、食事を作る、トイレに行く、家事をするなど）のあるとき、子どもを玩具が置かれたテーブルチェアに座らせて独りで遊ばせる。
【０００３】
従来のベビーカー、ロッキングチェアなどの子どもを座らせる道具は、体積およびコストを低減するためや、収納性の関係から、必要性がないテーブル構造が省略される。或いは、テーブル構造が着脱可能な構造となっており、必要に応じ、ユーザが自ら着脱を行ったり、子どもが食事をとるとき、テーブル構造をロッキングチェア上に設置したりして使用される。しかし、従来の着脱可能なテーブル構造は、着脱を行うとき、面倒で時間が掛かり、非常に不便である。また、テーブル構造を強固に固定できないという問題もあり、子どもが動くことによってテーブルが反転することがあり、ユーザが安心して使用できないという欠点を有する。
【０００４】
本考案の考案者は、従来技術の問題に鑑み、従来技術の問題を解決する本考案を案出した。
【先行技術文献】
【特許文献】
【０００５】
【特許文献１】特開２００７−９７９２２号公報
【考案の概要】
【考案が解決しようとする課題】
【０００６】
本考案の目的は、迅速に着脱を行うことができ、組立が簡単で、外観が美しい迅速着脱式テーブル構造を提供することにある。
【課題を解決するための手段】
【０００７】
上述の課題を解決するために、迅速着脱式テーブル構造は、テーブル本体および固定ユニットを含む。
【０００８】
テーブル本体は、両側部に支持ロッドがそれぞれ枢着されるテーブル体を含む。
固定ユニットは、第１の固定台および第２の固定台を含む。第１の固定台の一方の端部は、上述の支持ロッドに接続され、他方の端部には、第１の挟持部が設けられる。第１の挟持部の一方の側部には、第１の枢軸が設けられて開閉装置が枢着される。開閉装置の第１の枢軸と反対側の一方の側部には、押圧部が設けられる。押圧部と第１の固定台との間には、弾性部材が配置される。開閉装置の押圧部と反対側の他方の端部には、第１の係合部が設けられる。第１の挟持部の開閉装置と反対側の他方の側部には、第２の枢軸が設けられる。第２の固定台には、第２の挟持部が設けられる。第２の挟持部の一方の側部には、枢着部が設けられる。枢着部と上述の第１の固定台の第２の枢軸とは、枢動可能に接続される。第２の挟持部の他方の側部には、第２の係合部が設けられる。第２の係合部は、上述の開閉装置の第１の係合部と係合される。
【０００９】
すなわち本考案は下記の特徴を有する。
（１）テーブル本体および固定ユニットを含み、
前記テーブル本体は、両側部に支持ロッドがそれぞれ枢着されるテーブル体を含み、
前記固定ユニットは、第１の固定台および第２の固定台を含み、前記第１の固定台の一方の端部は、前記支持ロッドに接続され、他方の端部には、第１の挟持部が設けられ、前記第１の挟持部の一方の側部には、第１の枢軸が設けられて開閉装置が枢着され、前記開閉装置の第１の枢軸と反対側の一方の側部には、押圧部が設けられ、前記押圧部と前記第１の固定台との間には、弾性部材が配置され、前記開閉装置の押圧部と反対側の他方の端部には、第１の係合部が設けられ、前記第１の挟持部の前記開閉装置と反対側の他方の側部には、第２の枢軸が設けられ、前記第２の固定台には、第２の挟持部が設けられ、前記第２の挟持部の一方の側部には、枢着部が設けられ、前記枢着部と前記第１の固定台の第２の枢軸とは、枢動可能に接続され、前記第２の挟持部の他方の側部には、第２の係合部が設けられ、前記第２の係合部は、前記開閉装置の第１の係合部と係合されることを特徴とする迅速着脱式テーブル構造。
（２）前記第２の固定台の前記第２の挟持部と反対側の他方の側部には、少なくとも１つの取手部が設けられることを特徴とする（１）記載の迅速着脱式テーブル構造。
【考案の効果】
【００１０】
ユーザがテーブル本体をロッキングチェアの支柱上に固定したいとき、固定ユニットの開閉装置の押圧部を押圧し、開閉装置の第１の係合部を第１の枢軸を軸心として回転させ、第２の固定台の第２の係合部から離脱させる。このとき、第２の固定台を第２の枢軸を軸心として回転させて開くことができる。固定ユニットを開いた後、ユーザは、第１の固定台の第１の挟持部と第２の固定台の第２の挟持部とをロッキングチェアの支柱に位置合わせし、第２の固定台を回転させ、第２の固定台の第２の係合部と開閉装置の第１の係合部とを係合させる。開閉装置の弾性部材の弾性復元力により、開閉装置の第１の係合部は、係合状態が維持され続けるため、第２の係合部と第１の係合部とを緊密に係合し、第１の固定台の第１の挟持部と第２の固定台の第２の挟持部とをロッキングチェアの支柱上に挟持することができる。これにより、テーブル本体をロッキングチェアの支柱上に固定するという目的を達成することができる。テーブル本体を取り外す場合、開閉装置の押圧部を押圧することにより、固定ユニットを再び開くことができ、テーブル本体の取り外しを非常に簡単で迅速に行うことができる。
【図面の簡単な説明】
【００１１】
【図１】本考案の固定ユニットを示す斜視図である。
【図２】本考案の固定ユニットを示す分解斜視図である。
【図３】本考案の固定ユニットを示す断面図である。
【図４】本考案の固定ユニットの動作を示す断面図である。
【図５】本考案の固定ユニットの他の動作を示す断面図である。
【図６】本考案を示す分解斜視図である。
【図７】本考案の動作を示す斜視図である。
【図８】本考案の使用状態を示す斜視図である。
【考案を実施するための形態】
【００１２】
本考案の目的、特徴および効果を示す実施形態を図面に沿って詳細に説明する。
【００１３】
図６および図７を参照する。図６および図７に示すように、本実施形態の迅速着脱式テーブル構造は、テーブル本体２および固定ユニット２３を含む。
【００１４】
テーブル本体２は、両側部に支持ロッド２２がそれぞれ枢着されるテーブル体２１を含む。
【００１５】
固定ユニット２３は、第１の固定台２３１および第２の固定台２３２を含む。第１の固定台２３１の一方の端部は、上述の支持ロッド２２に接続され、他方の端部には、第１の挟持部２３１４が設けられる。第１の挟持部２３１４の一方の側部には、第１の枢軸２３１２が設けられて開閉装置２３１３が枢着される。開閉装置２３１３の第１の枢軸２３１２と反対側の一方の側部には、押圧部２３１３１が設けられる。押圧部２３１３１と第１の固定台２３１との間には、弾性部材２３１３３が配置される。開閉装置２３１３の押圧部２３１３１と反対側の他方の端部には、第１の係合部２３１３２が設けられる。第１の挟持部２３１４の開閉装置２３１３と反対側の他方の側部には、第２の枢軸２３１１が設けられる（図１、図２および図３を参照）。第２の固定台２３２には、第２の挟持部２３２４が設けられる。第２の挟持部２３２４の一方の側部には、枢着部２３２３が設けられる。枢着部２３２３と上述の第１の固定台２３１の第２の枢軸２３１１とは、枢動可能に接続される。第２の挟持部２３２４の他方の側部には、第２の係合部２３２２が設けられる。第２の係合部２３２２は、上述の開閉装置２３１３の第１の係合部２３１３２と係合される。第２の固定台２３２の第２の挟持部２３２４と反対側の他方の側部には、取手部２３２１が設けられる。取手部２３２１により、ユーザは、第２の固定台２３２を開閉する動作を簡単に行うことができる。
【００１６】
図８を参照する。図８に示すように、固定ユニット２３の第１の固定台２３１の第１の挟持部２３１４と、第２の固定台２３２の第２の挟持部２３２４と、がロッキングチェア１の支柱１１上に挟持されることにより、上述のテーブル本体２は、ロッキングチェア１の支柱１１上に固定される。
【００１７】
図３、図４および図５を参照する。図３、図４および図５に示すように、本実施形態による迅速着脱式テーブル構造は、ロッキングチェア１に実施される。ユーザがテーブル本体２をロッキングチェア１の支柱１１上に固定したいとき、固定ユニット２３の開閉装置２３１３の押圧部２３１３１を押圧し、開閉装置２３１３の第１の係合部２３１３２を第１の枢軸２３１２を軸心として回転させ、第２の固定台２３２の第２の係合部２３２２から離脱させる。このとき、第２の固定台２３２を第２の枢軸２３１１を軸心として回転させて開くことができる。固定ユニット２３を開いた後、ユーザは、第１の固定台２３１の第１の挟持部２３１４と第２の固定台２３２の第２の挟持部２３２４とをロッキングチェア１の支柱１１に位置合わせし、第２の固定台２３２を回転させ、第２の固定台２３２の第２の係合部２３２２と開閉装置２３１３の第１の係合部２３１３２とを係合させる。開閉装置２３１３の弾性部材２３１３３の弾性復元力により、開閉装置２３１３の第１の係合部２３１３２は、係合状態が維持され続けるため、第２の係合部２３２２と第１の係合部２３１３２とを緊密に係合し、第１の固定台２３１の第１の挟持部２３１４と第２の固定台２３２の第２の挟持部２３２４とをロッキングチェア１の支柱１１上に挟持することができる（図８を参照）。これにより、テーブル本体２をロッキングチェア１の支柱１１上に固定するという目的を達成することができる。テーブル本体２を取り外す場合、開閉装置２３１３の押圧部２３１３１を押圧することにより、固定ユニット２３を再び開くことができ、テーブル本体２の取り外しを非常に簡単で迅速に行うことができる。
【００１８】
図７を参照する。図７に示すように、テーブル本体２を使用しないとき、ユーザは、テーブル本体２の両側に枢着されている支持ロッド２２をテーブル本体２の一方の側部の方向に回転させて調整することにより、テーブル本体２の全体の体積をさらに軽薄短小にすることができるため、収納に便利である。
【００１９】
本考案の迅速着脱式テーブル構造は、テーブルの着脱を非常に簡単で迅速に行うことができ、操作方法が簡単であるため、ユーザは、使用法を簡単に理解し、簡単に操作することができる。融通性の高い着脱構造により、ユーザは、必要に応じ、自ら着脱を行うことができる。また、テーブルを強固に固定することができ、脱落しにくいため、非常に理想的な構造である。
【００２０】
上述の説明から分かるように、本考案の迅速着脱式テーブル構造は、産業上の利用性を備え、未公開の考案である。また、本考案は、従来技術の問題を解決することができ、ユーザの需要を満たすことができる。本考案は、産業上の利用性、新規性および進歩性を有し、法律に基づき、出願を行う。
【００２１】
本考案の実施形態は、本考案の主旨を逸脱しない範囲において変更を行うことができる。前述の好適な実施形態は、本考案の原理を具体的に実施した一方式を示すものであるが、これのみに限定されず、本考案の範囲は、実用新案登録請求の範囲により、画定される。
【符号の説明】
【００２２】
１  ロッキングチェア
１１  支柱
２  テーブル本体
２１  テーブル体
２２  支持ロッド
２３  固定ユニット
２３１  第１の固定台
２３１１  第２の枢軸
２３１２  第１の枢軸
２３１３  開閉装置
２３１３１  押圧部
２３１３２  第１の係合部
２３１３３  弾性部材
２３１４  第１の挟持部
２３２  第２の固定台
２３２１  取手部
２３２２  第２の係合部
２３２３  枢着部
２３２４  第２の挟持部
【図１】
0003158905.tif 000003
【図２】
0003158905.tif 000004
【図３】
0003158905.tif 000005
【図４】
0003158905.tif 000006
【図５】
0003158905.tif 000007
【図６】
0003158905.tif 000008
【図７】
0003158905.tif 000009
【図８】
0003158905.tif 000010